【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  ＡＴＭノードであって、
相互に接続された複数のＡＴＭスイッチと、
前記ＡＴＭノードを通じて転送されるセルに、前記ＡＴＭノードを通じた前記セルの転送のための宛先アドレスリストを有するタグを付与するコネクションセットアップ管理部と、
前記ＡＴＭノードの複数のＡＴＭスイッチを経由する監視セルセグメントを定義し、前記定義されたセグメントにおける、タグを用いた性能監視を有効化するノード性能監視管理部とを備えることを特徴とするＡＴＭノード。
【請求項２】  ＡＭＴノードであって、
相互に接続された複数のＡＴＭスイッチと、
前記ＡＴＭノードを通じて転送されるセルに、前記ＡＴＭノードを通じた前記セルの転送のための宛先アドレスリストを有するタグを付与するコネクションセットアップ管理部と、
前記ＡＴＭノードの複数のＡＴＭスイッチを経由する１つあるいは複数の監視セルセグメントを定義し、選択的なセルのタグに、前記１つあるいは複数のセグメントに関して監視を開始又は終了するかを示すコードを含ませることにより、前記１つあるいは複数のセグメントにおける前記タグを用いた性能監視を選択的に開始あるいは終了する性能監視管理部とを備えることを特徴とするＡＴＭノード。
【請求項３】  相互接続された複数のＡＴＭスイッチからなるＡＴＭノードの操作方法であって、
前記ＡＴＭノードを通じて転送されるセルに、前記ＡＴＭノードを通じた前記セルの転送のための宛先アドレスリストを有するタグを付与するステップと、
前記ＡＴＭノード内の前記複数のＡＴＭスイッチを経由する監視セルセグメントを定義するステップと、
前記定義されたセグメントにおける性能監視を有効化するステップ及び、
受信セルの前記タグを用いて、前記受信セルが性能監視対象であるか否かを決定するステップとを有することを特徴とする方法。
【請求項４】  相互接続された複数のＡＴＭスイッチからなるＡＴＭノードの操作方法であって、
前記ＡＴＭノードを通じて転送されるセルに、前記ＡＴＭノードを通じた前記セルの転送のための宛先アドレスリストを有するタグを付与するステップと、
前記ＡＴＭノード内の前記複数のＡＴＭスイッチを経由する一つあるいは複数の監視セルセグメントを定義するステップと、
前記定義されたセグメントに関して監視を開始するか終了するかを示すコードを前記タグに挿入するステップ及び、
受信セルの前記タグを用いて、前記受信セルが性能監視対象であるか否かを決定するステップとを有することを特徴とする方法。
【請求項５】  ＡＴＭノードであって、
相互に接続された複数のＡＴＭスイッチと、
前記ＡＴＭノードを通じて転送されるセルに、前記ＡＴＭノードを通じた前記セルの転送のための宛先アドレスリストを有するタグを付与するコネクションセットアップ管理部と、
前記ＡＴＭノードの複数のＡＴＭスイッチを経由する監視セルセグメントを定義し、前記定義されたセグメントにおける、タグを用いた性能監視を有効化するノード性能監視管理部とを備え、
前記性能監視が、前記定義されたセグメント上を伝送されるセルストリームの開始セル及び終了セルの間で搬送されるデータブロックに対して行われることを特徴とするＡＴＭノード。
【請求項６】  相互接続された複数のＡＴＭスイッチからなるＡＴＭノードの操作方法であって、
前記ＡＴＭノードを通じて転送されるセルに、前記ＡＴＭノードを通じた前記セルの転送のための宛先アドレスリストを有するタグを付与するステップと、
前記ＡＴＭノード内の前記複数のＡＴＭスイッチを経由する監視セルセグメントを定義するステップと、
前記定義されたセグメントにおける性能監視を有効化するステップ及び、
受信セルの前記タグを用いて、受信セルが性能監視対象であるか否かを決定するステップとを有し、
前記性能監視が、前記定義されたセグメント上を伝送されるセルストリームの開始セル及び終了セルの間で搬送されるデータブロックに対して行われることを特徴とする方法。
【手続補正２】
【補正対象書類名】明細書
【補正対象項目名】００９３
【補正方法】変更
【補正の内容】
【００９３】
現時点でもっとも現実的かつ好適な実施例と考えられる例を用いて本発明を説明したが、本発明は開示された実施例に限定されるものではなく、むしろ添付した請求項の精神ならびに範囲に含まれる種々の修正や等価的な構成をも含むことが意図されている。
本発明の実施態様を以下に列挙する。
［実施態様１］  ＡＴＭノードであって、
相互に接続された複数のＡＴＭスイッチと、
前記ＡＴＭノードを通じて転送されるセルに、前記ＡＴＭノードを通じた前記セルの転送のための宛先アドレスリストを有するタグを付与するコネクションセットアップ管理部と、
前記ＡＴＭノードの複数のＡＴＭスイッチを経由する監視セルセグメントを定義し、前記定義されたセグメントにおける、タグを用いた性能監視を有効化するノード性能監視管理部とを備えることを特徴とするＡＴＭノード。
［実施態様２］  前記ノード監視制御管理部は前記セグメントの始端から前記セグメントの終端までの性能監視を有効化し、
前記ＡＴＭノードは前記セグメントの終端において終了監視ユニットをさらに備え、前記終了監視ユニットが受信セルのタグを用いて前記受信セルが性能監視の対象であるか否かを決定し、性能監視対象のセルに関する終了ユニット報告を準備することを特徴とする実施態様１記載の装置。
［実施態様３］  前記複数のＡＴＭスイッチのそれぞれは、２つのスイッチポートインタフェースモジュール間に位置するスイッチコアを備えることを特徴とする実施態様１記載の装置。
［実施態様４］  前記セグメントの始端が前記ノードの前記スイッチポートインタフェースモジュールの一つに位置し、前記セグメントの終端が前記ノードの前記スイッチポートインタフェースモジュールの別の一つに位置することを特徴とする実施態様３記載の装置。
［実施態様５］  前記ＡＴＭノードは、前記セルのタグにサービス品質識別子を挿入するトラフィック制御管理部をさらに備えることを特徴とする実施態様１記載の装置。
［実施態様６］  前記タグは、前記ＡＴＭノード内でのセルの交換を行うための６つの宛先アドレスのリストを備えることを特徴とする実施態様１記載の装置。
［実施態様７］  前記ノード性能監視管理部は制御セルの前記タグに、前記タグにリストされた１つあるいは複数の前記宛先アドレスに関して監視開始あるいは監視終了を実行するか否かを示すコードを挿入することを特徴とする実施態様１記載の装置。
［実施態様８］  前記タグは、対応する宛先アドレスよって区切られるセグメントに対して監視を開始するか否かを示すために、前記タグ中の複数の宛先アドレスの各々に対して前記ノード性能監視管理部によって挿入されたコードを選択的に含むことを特徴とする実施態様７記載の装置。
［実施態様９］  前記ノード性能監視管理部は、監視管理セルを前記セグメントの始端と前記セグメントの終端間に伝送することを特徴とする実施態様１記載の装置。
［実施態様１０］  前記監視管理セルの少なくとも一つは、性能監視が起動されたことを前記終端に伝える、前記セグメントの始端から送信される監視起動セルであることを特徴とする実施態様９記載の装置。
［実施態様１１］  前記監視起動セルは、前記性能監視に関与する宛先アドレスを指定することを特徴とする実施態様９記載の装置。
［実施態様１２］  前記監視起動セルは、前記性能監視に関与する所定のサービス品質を指定することを特徴とする実施態様１１記載の装置。
［実施態様１３］  前記監視管理セルの少なくとも１つは、前記セグメントの終端から送信され、前記終端での性能監視が可能となったことを前記始端に伝える応答セルであることを特徴とする実施態様９記載の装置。
［実施態様１４］  前記監視管理セルの少なくとも１つは、前記セグメントの終端から前記始端に送信され、監視データを含む監視結果セルであることを特徴とする実施態様９記載の装置。
［実施態様１５］  前記監視データはセルカウント及び総チェックサムの１つであることを特徴とする実施態様１４記載の装置。
［実施態様１６］  ＡＭＴノードであって、
相互に接続された複数のＡＴＭスイッチと、
前記ＡＴＭノードを通じて転送されるセルに、前記ＡＴＭノードを通じた前記セルの転送のための宛先アドレスリストを有するタグを付与するコネクションセットアップ管理部と、
前記ＡＴＭノードの複数のＡＴＭスイッチを経由する１つあるいは複数の監視セルセグメントを定義し、選択的なセルのタグに、前記１つあるいは複数のセグメントに関して監視を開始又は終了するかを示すコードを含ませることにより、前記１つあるいは複数のセグメントにおける前記タグを用いた性能監視を選択的に開始あるいは終了する性能監視管理部とを備えることを特徴とするＡＴＭノード。
［実施態様１７］  前記セグメントの終端に終了監視ユニットをさらに備え、前記終了監視ユニットは、受信セルの前記タグを用いて前記受信セルが性能監視の対象であるか否かを決定し、性能監視対象のセルに関する終了ユニット報告を準備することを特徴とする実施態様１６記載の装置。
［実施態様１８］  前記複数のＡＴＭスイッチのそれぞれは、２つのスイッチポートインタフェースモジュール間に位置するスイッチコアと、ステージである前記スイッチコアをスイッチポートインタフェースモジュールの一つと接続するリンクとを備えることを特徴とする実施態様１６記載の装置。
［実施態様１９］  前記セグメントの始端が前記ノードの前記スイッチポートインタフェースモジュールの一つに位置し、前記セグメントの終端が前記ノードの前記スイッチポートインタフェースモジュールの別の一つに位置することを特徴とする実施態様１８記載の装置。
［実施態様２０］  前記ＡＴＭノードは、前記セルのタグにサービス品質識別子を挿入するトラフィック制御管理部をさらに備えることを特徴とする実施態様１６記載の装置。
［実施態様２１］  前記タグは、前記ＡＴＭノード内でのセルの交換を行うための６つの宛先アドレスのリストを備えることを特徴とする実施態様１６記載の装置。
［実施態様２２］  前記ノード性能監視管理部は、監視管理セルを前記セグメントの始端と前記セグメントの終端間に伝送することを特徴とする実施態様１６記載の装置。
［実施態様２３］  前記監視管理セルの少なくとも一つは、性能監視が起動されたことを前記終端に伝える、前記セグメントの始端から送信される監視起動セルであることを特徴とする実施態様２２記載の装置。
［実施態様２４］  前記監視起動セルは、前記性能監視に関与する宛先アドレスを指定することを特徴とする実施態様２２記載の装置。
［実施態様２５］  前記監視起動セルは、前記性能監視に関与する所定のサービス品質を指定することを特徴とする実施態様２４記載の装置。
［実施態様２６］  前記監視管理セルの少なくとも１つは、前記セグメントの終端から送信され、前記終端での性能監視が可能となったことを前記始端に伝える応答セルであることを特徴とする実施態様２２記載の装置。
［実施態様２７］  前記監視管理セルの少なくとも１つは、前記セグメントの終端から前記始端に送信され、監視データを含む監視結果セルであることを特徴とする実施態様２２記載の装置。
［実施態様２８］  前記監視データはセルカウント及び総チェックサムの１つであることを特徴とする実施態様２７記載の装置。
［実施態様２９］  相互接続された複数のＡＴＭスイッチからなるＡＴＭノードの操作方法であって、
前記ＡＴＭノードを通じて転送されるセルに、前記ＡＴＭノードを通じた前記セルの転送のための宛先アドレスリストを有するタグを付与するステップと、
前記ＡＴＭノード内の前記複数のＡＴＭスイッチを経由する監視セルセグメントを定義するステップと、
前記定義されたセグメントにおける性能監視を有効化するステップ及び、
受信セルの前記タグを用いて、前記受信セルが性能監視対象であるか否かを決定するステップとを有することを特徴とする方法。
［実施態様３０］  性能監視対象のセルに関する報告を準備するステップをさらに有することを特徴とする実施態様２９記載の方法。
［実施態様３１］  前記複数のＡＴＭスイッチのそれぞれは、２つのスイッチポートインタフェースモジュール間に位置するスイッチコアを備えることを特徴とする実施態様２９記載の方法。
［実施態様３２］  前記セグメントの始端が前記ノードの前記スイッチポートインタフェースモジュールの一つに位置し、前記セグメントの終端が前記ノードの前記スイッチポートインタフェースモジュールの別の一つに位置することを特徴とする実施態様３１記載の装置。
［実施態様３３］  前記セルのタグにサービス品質識別子を挿入するステップをさらに有することを特徴とする実施態様２９記載の方法。
［実施態様３４］  前記タグは、前記ＡＴＭノード内でのセルの交換を行うための６つの宛先アドレスのリストを備えることを特徴とする実施態様２９記載の方法。
［実施態様３５］  前記タグにリストされた１つあるいは複数の前記宛先アドレスに関して監視開始あるいは監視終了を実行するか否かを示すコードを挿入するステップをさらに有することを特徴とする実施態様２９記載の方法。
［実施態様３６］  前記タグ中の複数の宛先アドレスの各々に対して、対応する宛先アドレスよって区切られるセグメントに対して監視を開始するか否かを示すため、制御セルのタグ中のコードを選択的に挿入するステップをさらに有することを特徴とする実施態様３５記載の方法。
［実施態様３７］  前記監視管理セルを前記セグメントの始端と前記セグメントの終端間に伝送するステップをさらに有することを特徴とする実施態様２９記載の方法。
［実施態様３８］  前記監視起動セルを前記セグメントの始端から送信し、性能監視が起動されたことを終端に伝えるステップをさらに有することを特徴とする実施態様３７記載の方法。
［実施態様３９］  前記監視起動セルには、性能監視に関与する所定の宛先アドレスが含まれることを特徴とする実施態様３７記載の方法。
［実施態様４０］  前記監視起動セルには、性能監視に関与する所定のサービス品質が含まれることを特徴とする実施態様３９記載の方法。
［実施態様４１］  応答セルを前記セグメントの終端から始端に送信し、前記終端での性能監視が可能となったことを伝えるステップをさらに有することを特徴とする実施態様３７記載の方法。
［実施態様４２］  監視データを含んだ監視結果セルを前記セグメントの終端から始端に送信するステップをさらに有することを特徴とする実施態様３７記載の方法。
［実施態様４３］  監視データはセルカウント及び総チェックサムの１つであることを特徴とする実施態様４２記載の方法。
［実施態様４４］  相互接続された複数のＡＴＭスイッチからなるＡＴＭノードの操作方法であって、
前記ＡＴＭノードを通じて転送されるセルに、前記ＡＴＭノードを通じた前記セルの転送のための宛先アドレスリストを有するタグを付与するステップと、
前記ＡＴＭノード内の前記複数のＡＴＭスイッチを経由する一つあるいは複数の監視セルセグメントを定義するステップと、
前記定義されたセグメントに関して監視を開始するか終了するかを示すコードを前記タグに挿入するステップ及び、
受信セルの前記タグを用いて、前記受信セルが性能監視対象であるか否かを決定するステップとを有することを特徴とする方法。
［実施態様４５］  性能監視対象のセルに関する報告を準備するステップをさらに有することを特徴とする実施態様４４記載の方法。
［実施態様４６］  前記複数のＡＴＭスイッチのそれぞれは、２つのスイッチポートインタフェースモジュール間に位置するスイッチコアを備えることを特徴とする実施態様４４記載の方法。
［実施態様４７］  前記セグメントの始端が前記ノードの前記スイッチポートインタフェースモジュールの一つに位置し、前記セグメントの終端が前記ノードの前記スイッチポートインタフェースモジュールの別の一つに位置することを特徴とする実施態様４６記載の装置。
［実施態様４８］  前記セルのタグにサービス品質識別子を挿入するステップをさらに有することを特徴とする実施態様４４記載の方法。
［実施態様４９］  前記タグは、前記ＡＴＭノード内でのセルの交換を行うための６つの宛先アドレスのリストを備えることを特徴とする実施態様４４記載の方法。
［実施態様５０］  前記監視管理セルを前記セグメントの始端と前記セグメントの終端間に伝送するステップをさらに有することを特徴とする実施態様４４記載の方法。
［実施態様５１］  前記監視起動セルを前記セグメントの始端から送信し、性能監視が起動されたことを終端に伝えるステップをさらに有することを特徴とする実施態様５０記載の方法。
［実施態様５２］  前記監視起動セルには、性能監視に関与する所定の宛先アドレスが含まれることを特徴とする実施態様５０記載の方法。
［実施態様５３］  前記監視起動セルには、性能監視に関与する所定のサービス品質が含まれることを特徴とする実施態様５０記載の方法。
［実施態様５４］  応答セルを前記セグメントの終端から始端に送信し、前記終端での性能監視が可能となったことを伝えるステップをさらに有することを特徴とする実施態様５０記載の方法。
［実施態様５５］  監視データを含んだ監視結果セルを前記セグメントの終端から始端に送信するステップをさらに有することを特徴とする実施態様５０記載の方法。
［実施態様５６］  監視データはセルカウント及び総チェックサムの１つであることを特徴とする実施態様５５記載の方法。
［実施態様５７］  ＡＴＭノードであって、
相互に接続された複数のＡＴＭスイッチと、
前記ＡＴＭノードを通じて転送されるセルに、前記ＡＴＭノードを通じた前記セルの転送のための宛先アドレスリストを有するタグを付与するコネクションセットアップ管理部と、
前記ＡＴＭノードの複数のＡＴＭスイッチを経由する監視セルセグメントを定義し、前記定義されたセグメントにおける、タグを用いた性能監視を有効化するノード性能監視管理部とを備え、
前記性能監視が、前記定義されたセグメント上を伝送されるセルストリームの開始セル及び終了セルの間で搬送されるデータブロックに対して行われることを特徴とするＡＴＭノード。
［実施態様５８］  前記ノード監視制御管理部は前記セグメントの始端から前記セグメントの終端まで前記性能監視を有効化し、
前記ＡＴＭノードは前記セグメントの終端において終了監視ユニットをさらに備え、前記終了監視ユニットが受信セルのタグを用いて前記受信セルが性能監視の対象であるか否かを決定し、性能監視対象のセルに関する終了ユニット報告を準備することを特徴とする実施態様５７記載の装置。
［実施態様５９］  前記ノード性能監視管理部は制御セルの前記タグに、前記タグにリストされた１つあるいは複数の前記宛先アドレスに関して監視開始あるいは監視終了を実行するか否かを示すコードを挿入することを特徴とする実施態様５７記載の装置。
［実施態様６０］  前記タグは、対応する宛先アドレスよって区切られるセグメントに対して監視を開始するか否かを示すために、前記タグ中の複数の宛先アドレスの各々に対して前記ノード性能監視管理部によって挿入されたコードを選択的に含むことを特徴とする実施態様５９記載の装置。
［実施態様６１］  前記監視は、前記ブロックのセルカウント及び総チェックサムの１つの判別を含むことを特徴とする実施態様５７記載の装置。
［実施態様６２］  相互接続された複数のＡＴＭスイッチからなるＡＴＭノードの操作方法であって、
前記ＡＴＭノードを通じて転送されるセルに、前記ＡＴＭノードを通じた前記セルの転送のための宛先アドレスリストを有するタグを付与するステップと、
前記ＡＴＭノード内の前記複数のＡＴＭスイッチを経由する監視セルセグメントを定義するステップと、
前記定義されたセグメントにおける性能監視を有効化するステップ及び、
受信セルの前記タグを用いて、受信セルが性能監視対象であるか否かを決定するステップとを有し、
前記性能監視が、前記定義されたセグメント上を伝送されるセルストリームの開始セル及び終了セルの間で搬送されるデータブロックに対して行われることを特徴とする方法。
［実施態様６３］  前記タグにリストされた１つあるいは複数の前記宛先アドレスに関して監視開始あるいは監視終了を実行するか否かを示すコードを挿入するステップをさらに有することを特徴とする実施態様６２記載の方法。
［実施態様６４］  前記タグ中の複数の宛先アドレスの各々に対して、対応する宛先アドレスよって区切られるセグメントに対して監視を開始するか否かを示すため、制御セルのタグ中のコードを選択的に挿入するステップをさらに有することを特徴とする実施態様６３記載の方法。
［実施態様６５］  前記監視は、前記ブロックのセルカウント及び総チェックサムの１つの判別を含むことを特徴とする実施態様６２記載の方法。